(57)【要約】      （修正有）【課題】タッチパネル機能が付加された表示装置を提供する。【解決手段】表示装置はタッチ面を提供し、遮光領域と複数個の画素領域に区分される第１ベース基板を含む。第１ベース基板に絶縁されるように交差する複数個のゲートラインと複数個のタッチセンサが配置される。複数個のタッチセンサはターンオン期間が互いに異なるゲート信号を利用して複数個のゲートラインと容量結合される。複数個のタッチセンサから出力された出力信号からタッチ地点の座標情報を算出する。【選択図】図１
2014142908.tif 000002
【特許請求の範囲】
【請求項１】
タッチ面を提供し、遮光領域と複数個の画素領域とに区分される第１ベース基板と、
前記第１ベース基板上に配置され、第１方向に延び、前記第１方向と交差する第２方向に配列され、ターンオン期間が互いに異なるゲート信号を各々受信する複数個のゲートラインと、
前記複数個の画素領域に対応するように配置され、前記ゲート信号に応じて動作する複数個の画素と、
前記第１ベース基板上に配置され、前記ゲート信号を感知信号として利用して前記複数個のゲートラインと容量結合される複数個のタッチセンサと、
前記複数個のタッチセンサから提供された出力信号からタッチ地点の座標情報を算出するタッチ感知部と、を含む表示装置。
【請求項２】
前記複数個のタッチセンサは、
前記第２方向に延びた形状であり、前記第１方向の幅は前記第２方向に沿って変化することを特徴とする請求項１に記載の表示装置。
【請求項３】
前記複数個のタッチセンサは、
前記第２方向に沿って前記第１方向の幅が増加する第１タッチセンサと、
前記第２方向に沿って前記第１方向の幅が減少する第２タッチセンサと、を含む請求項２に記載の表示装置。
【請求項４】
前記第１タッチセンサ及び前記第２タッチセンサは交互に配置されていることを特徴とする請求項３に記載の表示装置。
【請求項５】
前記出力信号の各々は前記ゲート信号に基づいて生成されているレベルが異なる複数個のパルスを含むことを特徴とする請求項２に記載の表示装置。
【請求項６】
前記タッチ感知部は前記複数個のパルスのレベル変化に基づいて前記タッチ地点の前記第２方向の座標情報を算出することを特徴とする請求項５に記載の表示装置。
【請求項７】
前記タッチ感知部は前記複数個のパルスの中で一部のパルスに基づいて前記タッチ地点の座標情報を算出することを特徴とする請求項５に記載の表示装置。
【請求項８】
前記複数個のタッチセンサは複数個のグループに区分され、前記複数個のグループは前記第２方向に配列されていることを特徴とする請求項２に記載の表示装置。
【請求項９】
前記複数個のゲートライン及び前記複数個のタッチセンサは前記第１ベース基板の下側に配置されていることを特徴とする請求項１に記載の表示装置。
【請求項１０】
前記複数個のタッチセンサは前記第１ベース基板の下面上に配置され、
前記複数個のゲートラインは前記複数個のタッチセンサをカバーする絶縁層上に配置されていることを特徴とする請求項９に記載の表示装置。
【発明の詳細な説明】
【技術分野】
【０００１】
本発明は表示装置に関し、詳細にはタッチイベントを感知できる表示装置に関する。
【背景技術】
【０００２】
タッチパネルはタッチイベントが発生した地点（以下、タッチ地点）の座標情報を取得する入力手段である。タッチパネルはキーボード及びマウスのような入力装置を代替として用いられる。
【０００３】
タッチパネルはその動作原理にしたがって抵抗膜方式、静電容量方式、電磁気誘導方式に分けられる。静電容量方式のタッチパネルはそれぞれの機能によって区分される入力タッチ電極と出力タッチ電極を含む。入力タッチ電極と出力タッチ電極は互いに絶縁されるように交差する。
【０００４】
一般的にタッチパネルは表示パネルの外部に装着される。表示パネルはタッチパネルから受信された座標情報に対応する映像を表示する。表示パネルに装着されたタッチパネルは表示装置の厚さを増加させる。また、表示パネルとは別に製造されるタッチパネルは表示装置の費用を増加させる。
【先行技術文献】
【特許文献】
【０００５】
【特許文献１】韓国公開特許第１０−２０１２−００３６５２４号公報
【発明の概要】
【発明が解決しようとする課題】
【０００６】
本発明の目的はタッチパネル機能が付加された表示装置を提供することである。
【課題を解決するための手段】
【０００７】
本発明の一実施形態による表示装置は第１ベース基板、複数個のゲートライン、複数個の画素、複数個のタッチセンサ、及びタッチ感知部を含む。前記第１ベース基板はタッチ面を提供し、遮光領域と複数個の画素領域とに区分される。前記複数個のゲートラインは前記第１ベース基板上に配置され、第１方向に延び、前記第１方向と交差する第２方向に配列され、異なるターンオン期間を有するゲート信号を各々印加する。
【０００８】
前記複数個の画素は前記複数個の画素領域に対応するように配置され、前記ゲート信号に応じて動作する。前記複数個のタッチセンサは前記第１ベース基板上に配置され、前記ゲート信号を感知信号として利用し、前記複数個のゲートラインと容量結合される。前記タッチ感知部は前記複数個のタッチセンサから提供された出力信号からタッチ地点の座標情報を算出する。
【０００９】
前記複数個のタッチセンサは、前記第２方向に延び、前記第１方向の幅は前記第２方向に沿って変化する。
【００１０】
前記複数個のタッチセンサは、前記第２方向に沿って前記第１方向の幅が増加する第１タッチセンサ及び前記第２方向に沿って前記第１方向の幅が減少する第２タッチセンサを含む。
【００１１】
前記第１タッチセンサ及び前記第２タッチセンサは交互に配置される。前記各々の出力信号は前記ゲート信号に基づいて生成されたレベルが異なる複数個のパルスを含む。
【００１２】
前記タッチ感知部は前記複数個のパルスのレベル変化に基づいて前記タッチ地点の前記第２方向の座標情報を算出する。前記タッチ感知部は前記複数個のパルスの中で一部のパルスに基づいて前記タッチ地点の座標情報を算出する。
【００１３】
前記複数個のゲートライン及び前記複数個のタッチセンサは前記第１ベース基板の下側に配置される。前記複数個のタッチセンサは前記第１ベース基板の下面上に配置され、前記複数個のゲートラインは前記複数個のタッチセンサをカバーする絶縁層上に配置される。
【００１４】
本発明の一実施形態による表示装置は前記第１ベース基板上に配置され、前記複数個のタッチセンサに各々接続され、前記出力信号を前記タッチ感知部へ提供する複数個の接続ラインをさらに含む。
【００１５】
本発明の一実施形態による表示装置の前記複数個のタッチセンサは複数個のグループに区分され、前記複数個のグループは前記第２方向に配列される。
【００１６】
本発明の一実施形態による表示装置の前記複数個のタッチセンサはマトリックス形態に配列される。前記複数個のタッチセンサは実質的に同一の形状及び実質的に同一の面積を有する。
【発明の効果】
【００１７】
上述のように、前記複数個のゲートラインはタッチパネルの入力タッチ電極として動作し、前記複数個のタッチセンサはタッチパネルの出力タッチ電極として動作する。前記複数個のゲートラインへ印加された前記ゲート信号は前記タッチパネルの感知信号として利用される。
【００１８】
前記表示装置は１つの導電層をさらに具備することによって、タッチイベントを感知することができる。前記表示装置はタッチパネルを別に具備する表示装置より薄い。また、低コストで前記表示装置を製造することができる。
【００１９】
出力信号の各々はゲートラインへ順次的に提供されるゲート信号に基づいて生成された複数個のパルスを含む。タッチ感知部は複数個のパルスの中で一部のパルスからタッチ地点の座標情報を算出することができる。さらに、ゲートラインへゲート信号が順次的に提供されるフレーム区間に、タッチイベントを複数回検出することができる。
【図面の簡単な説明】
【００２０】
【図１】本発明の一実施形態による表示装置のブロック図である。
【図２】図１に図示された表示パネルの部分斜視図である。
【図３】図２に図示された第１表示基板の画素領域に対応する背面図である。
【図４】図３のＩ−Ｉ’に対応する表示パネルの断面図である。
【図５】タッチイベントが発生した表示パネルの等価回路図である。
【図６】図１に図示された表示パネルへ印加される信号のタイミング図である。
【図７】図１に図示された表示パネルの平面図である。
【図８Ａ】図７のＡＡ領域に対応する平面図である。
【図８Ｂ】図７のＡＡ領域に対応する平面図である。
【図９】図７に図示された第１タッチセンサ及び第２タッチセンサとゲートラインを示した平面図である。
【図１０】ゲート信号とタッチセンサで出力される出力信号の関係を示したタイミング図である。
【図１１Ａ】座標情報を算出するのに利用されるパルスを示した図面である。
【図１１Ｂ】座標情報を算出するのに利用されるパルスを示した図面である。
【図１１Ｃ】座標情報を算出するのに利用されるパルスを示した図面である。
【図１２Ａ】タッチ地点の位置にしたがって現れるパルスのレベル変化を示した図面である。
【図１２Ｂ】タッチ地点の位置にしたがって現れるパルスのレベル変化を示した図面である。
【図１２Ｃ】タッチ地点の位置にしたがって現れるパルスのレベル変化を示した図面である。
【図１３】本発明の一実施形態による表示パネルの断面図である。
【図１４】本発明の一実施形態による表示パネルの平面図である。
【図１５Ａ】本発明の一実施形態による表示パネルの平面図である。
【図１５Ｂ】本発明の一実施形態による表示パネルの平面図である。
【図１５Ｃ】本発明の一実施形態による表示パネルの平面図である。
【図１６】は本発明の一実施形態による表示パネルの平面図である。
【発明を実施するための形態】
【００２１】
以下、添付した図面を参照して本発明の望ましい実施形態をより詳細に説明する。
【００２２】
図１は本発明の一実施形態による表示装置のブロック図である。図２は図１に示した表示パネルの部分斜視図である。図３は図２に示した第１表示基板の画素領域に対応する背面図である。図４は図３のＩ−Ｉ’に対応する表示パネルの断面図である。図５はタッチイベントが発生した表示パネルの等価回路図である。図６は図１に図示された表示パネルへ印加される信号のタイミング図である。
【００２３】
図１に示したように、表示装置は表示パネルＤＰ、信号制御部１００、ゲート駆動部２００、データ駆動部３００、及びタッチ感知部４００を含む。
【００２４】
表示パネルＤＰは特別に限定されることはなく、例えば、液晶表示パネル（ｌｉｑｕｉｄ  ｃｒｙｓｔａｌ  ｄｉｓｐｌａｙ  ｐａｎｅｌ）、有機発光表示パネル（ｏｒｇａｎｉｃ  ｌｉｇｈｔ  ｅｍｉｔｔｉｎｇ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、エレクトロ・ウェッティング表示パネル（ｅｌｅｃｔｒｏｗｅｔｔｉｎｇ  ｄｉｓｐｌａｙ  ｐａｎｅｌ）等を採用できる。本実施形態では液晶表示パネルを例示的に説明する。一方、表示装置は液晶表示パネルへ光を提供するバックライトユニット（図示せず）、及び一対の偏光板（図示せず）をさらに含む。
【００２５】
表示パネルＤＰは第１表示基板ＤＳ１、第１表示基板ＤＳ１に対向する第２表示基板ＤＳ２、及び第１表示基板ＤＳ１と第２表示基板ＤＳ２との間に配置された液晶層（ＬＣＬ：図２参照）を含む。一方、前述した表示パネルの中で、例えば有機発光表示パネルは、封止層が第２表示基板を代替することもできる。
【００２６】
表示パネルＤＰは複数個の画素ＰＸ１１〜ＰＸｎｍを含む。複数個の画素ＰＸ１１〜ＰＸｎｍは複数個の画素領域ＰＸＡ１１〜ＰＸＡｎｍに対応するように配置される。複数個の画素ＰＸ１１〜ＰＸｎｍの各々は複数個のゲートラインＧＬ１〜ＧＬｎの中でそれぞれ対応するゲートライン及び複数個のデータラインＤＬ１〜ＤＬｍの中でそれぞれ対応するデータラインに接続される。複数個の画素ＰＸ１１〜ＰＸｎｍは複数個のゲートラインＧＬ１〜ＧＬｎへ印加されたゲート信号に応じて動作する。後述のように複数個の画素ＰＸ１１〜ＰＸｎｍに含まれた薄膜トランジスタはゲート信号に応じてターンオンされる。複数個の画素ＰＸ１１〜ＰＸｎｍはマトリックス形態に配列されてもよい。
【００２７】
複数個のゲートラインＧＬ１〜ＧＬｎ及び複数個のデータラインＤＬ１〜ＤＬｍは第１表示基板ＤＳ１に配置される。複数個のゲートラインＧＬ１〜ＧＬｎは第１方向ＤＲ１に延び、第２方向ＤＲ２に配列される。複数個のデータラインＤＬ１〜ＤＬｍは複数個のゲートラインＧＬ１〜ＧＬｎと絶縁されるように交差する。即ち、複数個のデータラインＤＬ１〜ＤＬｍは第２方向ＤＲ２に延び、第１方向ＤＲ１に配列される。
【００２８】
第１表示基板ＤＳ１は複数個の共通ライン（図示せず）及び複数個のタッチセンサ（図示せず）を含む。複数個の共通ラインはゲートラインＧＬ１〜ＧＬｎに一対一対応するように配置されてもよい。図２乃至図４を参照して表示パネルＤＰに対して詳細に検討する。
【００２９】
図２に示したように、第１表示基板ＤＳ１は第２表示基板ＤＳ２の上側に配置される。第１表示基板ＤＳ１はタッチイベントが発生するタッチ面を提供する。タッチイベントは第１表示基板ＤＳ１の上面の上方で発生すれば十分であり、第１表示基板ＤＳ１の上面に接した位置で発生しなくとも構わない。即ち、第１表示基板ＤＳ１の上側に配置された偏光板又は保護板上でタッチイベントが発生されてもよい。
【００３０】
表示パネルＤＰは遮光領域ＬＳＡと複数個の画素領域ＰＸＡとに区分される。図２に図示された画素領域ＰＸＡは図１に図示された複数個の画素領域ＰＸＡ１１〜ＰＸＡｎｍの一部に対応する。画素領域ＰＸＡには図１に図示された複数個の画素ＰＸ１１〜ＰＸｎｍの中で対応する画素ＰＸが配置される。
【００３１】
複数個の画素領域ＰＸＡはバックライトユニットで発生した光を通過させる。遮光領域ＬＳＡは複数個の画素領域ＰＸＡを囲んでいる。遮光領域ＬＳＡは光を遮断する。一方、本実施形態における表示装置のバックライトユニットで発生した光が通過する領域と複数個の画素領域ＰＸＡが必ず同一であることを要求しない。複数個の画素領域ＰＸＡの各々は光を遮断する部分を包含してもよい。
【００３２】
図３及び図４は図２に図示された画素領域ＰＸＡの中で１つの画素領域を図示した。画素領域ＰＸＡに配置された画素ＰＸは薄膜トランジスタＴＦＴ、共通電極ＣＥ、及び画素電極ＰＥを含む。画素領域ＰＸＡの中で薄膜トランジスタＴＦＴに重畳する部分は光を遮断することもできる。
【００３３】
図３及び図４に示したように、第１表示基板ＤＳ１は第１ベース基板ＳＵＢ１、第１ベース基板ＳＵＢ１上に配置された複数個の絶縁層、及び複数個の導電層を含む。図４は複数個のセンサの中で１つのタッチセンサＴＳＥを図示した。
【００３４】
第１ベース基板ＳＵＢ１の下面にタッチセンサＴＳＥが配置される。タッチセンサＴＳＥは反射率が低い金属又はＩＴＯ（Ｉｎｄｉｕｍ  Ｔｉｎ  Ｏｘｉｄｅ）、ＺｎＯ（Ｚｉｎｃ  Ｏｘｉｄｅ）のような透明な金属酸化物等で構成することができる。反射率が低い金属はクロム酸化物（Ｃｈｒｏｍｉｕｍ  ｏｘｉｄｅ）、クロム窒化物（Ｃｈｒｏｍｉｕｍ  ｎｉｔｒｉｄｅ）、チタニウム酸化物（Ｔｉｔａｎｉｕｍ  ｏｘｉｄｅ）、及びチタニウム窒化物（Ｔｉｔａｎｉｕｍ  ｎｉｔｒｉｄｅ）の中でいずれか１つ又はこれらの合金等を包含することができる。
【００３５】
一方、第１ベース基板ＳＵＢ１の下面とタッチセンサＴＳＥとの間には絶縁層がさらに配置されてもよい。絶縁層は少なくとも１つの有機膜及び／又は少なくとも１つの無機膜を包含してもよい。
【００３６】
タッチセンサＴＳＥ上に第１絶縁層１０が配置される。第１絶縁層１０上にゲートラインＧＬｉと共通ラインＣＬｉが配置される。ゲートラインＧＬｉから薄膜トランジスタＴＦＴのゲート電極ＧＥが分岐される。
【００３７】
第１絶縁層１０上にゲートラインＧＬｉと共通ラインＣＬｉをカバーする第２絶縁層２０が配置される。第２絶縁層２０上にデータラインＤＬｊ、ＤＬｊ＋１が配置される。第２絶縁層２０上にゲート電極ＧＥと重畳する半導体層ＡＬが配置される。データラインＤＬｊ、ＤＬｊ＋１の中で１つの、例えばデータラインＤＬｊから薄膜トランジスタＴＦＴのソース電極ＳＥが分岐される。第２絶縁層２０上にソース電極ＳＥと離隔されて配置されたドレイン電極ＤＥが配置される。ソース電極ＳＥとドレイン電極ＤＥは半導体層ＡＬに各々重畳する。
【００３８】
第２絶縁層２０上にデータラインＤＬｊ、ＤＬｊ＋１をカバーする第３絶縁層３０が配置される。第３絶縁層３０上に共通電極ＣＥが配置される。共通電極ＣＥは第２絶縁層２０及び第３絶縁層３０を貫通する第１コンタクトホールＣＨ１を通じて共通ラインＣＬｉに接続される。
【００３９】
第３絶縁層３０上に共通電極ＣＥをカバーする第４絶縁層４０が配置される。第４絶縁層４０上に共通電極ＣＥに重畳する画素電極ＰＥが配置される。画素電極ＰＥは第３絶縁層３０及び第４絶縁層４０を貫通する第２コンタクトホールＣＨ２を通じてドレイン電極ＤＥに接続される。第４絶縁層４０の上には画素電極ＰＥを保護する保護層（図示せず）及び配向膜（図示せず）がさらに配置されてもよい。
【００４０】
画素電極ＰＥは複数個のスリットＳＬＴを含む。画素電極ＰＥは第１水平部Ｐ１、第１水平部Ｐ１と離隔されて配置された第２水平部Ｐ２、及び第１水平部Ｐ１と第２水平部Ｐ２に接続する複数個の垂直部Ｐ３を包含してもよい。一方、画素電極ＰＥの形状はこれに制限されず、複数個の切開部を包含してもよい。
【００４１】
薄膜トランジスタＴＦＴはゲートラインＧＬｉへ印加されたゲート信号に応じてデータラインＤＬｊへ印加されたデータ電圧を出力する。共通電極ＣＥは基準電圧を受信し、画素電極ＰＥはデータ電圧に対応する画素電圧を受信する。画素電圧と基準電圧は互いに異なるレベルを有する。共通電極ＣＥと画素電極ＰＥは横電界を形成する。横電界によって液晶層ＬＣＬに含まれた方向子の配向が変化する。
【００４２】
一方、他の実施形態で共通電極ＣＥと画素電極ＰＥは同一の層上に配置されてもよい。その他の実施形態で共通電極ＣＥは第２表示基板ＤＳ２上に配置されてもよく、この場合、共通電極ＣＥと画素電極ＰＥは垂直電界を形成する。
【００４３】
第２表示基板ＤＳ２は第２ベース基板ＳＵＢ２、遮光層ＢＭ、カラーフィルタＣＦを含む。遮光層ＢＭは開口部ＢＭ−ＯＰを含む。カラーフィルタＣＦは開口部ＢＭ−ＯＰに重畳するように配置される。実質的に画素領域ＰＸＡは開口部ＢＭ−ＯＰに対応し、遮光領域ＬＳＡは遮光層ＢＭが配置された領域に対応する。図３及び図４は１つの画素領域ＰＸＡを基準に図示したが、遮光層ＢＭは図２に図示された画素領域ＰＸＡに対応する開口部を含んでもよい。
【００４４】
また、複数個の開口部ＢＭ−ＯＰに重畳するように複数個のカラーフィルタＣＦが配置されてもよい。複数個のカラーフィルタＣＦは互いに異なるカラーを有するカラーフィルタを包含してもよい。例えば、複数個のカラーフィルタＣＦの中で一部はレッド、他の一部はグリーン、その他の一部はブルーカラーを有することができる。
【００４５】
一方、他の実施形態で遮光層ＢＭとカラーフィルタＣＦは第１ベース基板ＳＵＢ１上に配置されてもよい。例えば、遮光層ＢＭとカラーフィルタＣＦが第１絶縁層１０に含まれてもよい。
【００４６】
図１，４，５を参照してタッチイベントを感知するタッチセンサＴＳＥの動作原理を説明する。ゲートラインＧＬｉ及びゲート電極ＧＥへ電源電圧Ｐｖが印加される。電源電圧Ｐｖはゲート電圧である。第１抵抗ＲＧＬはゲートラインＧＬｉの内部抵抗であり、第２抵抗ＲＴＳＥはタッチセンサＴＳＥの内部抵抗であり、第３抵抗ＲＲＤは表示パネルＤＰに具備されたその他の抵抗である。
【００４７】
ゲートラインＧＬｉへゲート電圧が印加されることによって、ゲートラインＧＬｉはタッチセンサＴＳＥと容量結合される。言い換えれば、ゲートラインＧＬｉとタッチセンサＴＳＥはキャパシタＣＧＴを形成する。このとき、ゲートラインＧＬｉと共通電極ＣＥは第１寄生キャパシタＣＴＣを形成し、ゲートラインＧＬｉとドレイン電極ＤＥ及びソース電極ＳＥは第２寄生キャパシタＣＴＤＳを形成する。
【００４８】
第１ベース基板ＳＵＢ１上に入力手段が配置されれば、即ちタッチイベントが発生すれば、ゲートラインＧＬｉと入力手段は可変キャパシタＣＴＩを形成する。それによって、タッチセンサＴＳＥの電位は低くなる。タッチ感知部４００はタッチイベントが発生にしたがって現れるタッチセンサＴＳＥの電位変化を検出する。
【００４９】
このような側面でゲートラインＧＬｉ及びゲート電極ＧＥはタッチパネルの入力タッチ電極をなし、タッチセンサＴＳＥはタッチパネルの出力タッチ電極をなす。ゲート電圧はタッチパネルの感知信号として利用される。
【００５０】
図１及び図６を参照すれば、信号制御部１００は入力映像信号ＲＧＢを受信し、入力映像信号ＲＧＢを表示パネルＤＰの動作モードに相応しい映像データＲ’Ｇ’Ｂ’に変換する。また、信号制御部１００は各種制御信号ＣＳ、例えば垂直同期信号Ｖｓｙｎｃ、水平同期信号Ｈｓｙｎｃ、メーンクロック信号、データイネーブル信号等を受信し、第１及び第２制御信号ＣＯＮＴ１、ＣＯＮＴ２を出力する。
【００５１】
ゲート駆動部２００は第１制御信号ＣＯＮＴ１に応じて複数個のゲートラインＧＬ１〜ＧＬｎへゲート信号を出力する。第１制御信号ＣＯＮＴ１はゲート駆動部２００の動作を開始する垂直開示信号、ゲート電圧の出力時期を決定するゲートクロック信号及びゲート電圧のオンパルス幅を決定する出力イネーブル信号等を含む。
【００５２】
データ駆動部３００は第２制御信号ＣＯＮＴ２及び映像データＲ’Ｇ’Ｂ’を受信する。データ駆動部３００は映像データＲ’Ｇ’Ｂ’をデータ電圧ＶＲＧＢに変換してデータラインＤＬ１〜ＤＬｍへ提供する。
【００５３】
第２制御信号ＣＯＮＴ２はデータ駆動部３００の動作を開始する水平開示信号、データ電圧ＶＲＧＢの極性を反転させる反転信号及びデータ駆動部３００からデータ電圧ＶＲＧＢが出力される時期を決定する出力指示信号、データ電圧ＶＲＧＢのオン／オフを制御するデータイネーブル信号を含む。データイネーブル信号は実質的に表示区間ＤＳＰと非表示区間ＢＰを定義する信号である。
【００５４】
タッチ感知部４００はタッチセンサから提供された出力信号を受信する。タッチ感知部４００は出力信号に基づいてタッチイベントが発生した地点の座標情報を算出する。
【００５５】
例えば、タッチ感知部４００は出力信号を受信する信号処理部及びマルチプレクサ部及び比較部を包含してもよい。信号処理部はタッチセンサに一対一対応するように具備されてもよい。
【００５６】
信号処理部の各々は増幅器、ノイズフィルタ、アナログ−デジタルコンバータ等を含む。増幅器は対応する出力信号を増幅させる。ノイズフィルタは増幅された出力信号のノイズを除去する。アナログ−デジタルコンバータはノイズが除去された出力信号をデジタル信号に変換する。
【００５７】
マルチプレクサ部は信号処理部から受信したデジタル信号を比較部へ提供する。比較部はデジタル信号を基準値に比較してセンサの中でタッチイベントが発生した地点上に配置されたタッチセンサを検出する。
【００５８】
図６に示したように、垂直同期信号Ｖｓｙｎｃは複数個のフレーム区間ＦＲｎ−１、ＦＲｎ、ＦＲｎ＋１を定義する。複数個のフレーム区間ＦＲｎ−１、ＦＲｎ、ＦＲｎ＋１は表示区間ＤＳＰと非表示区間ＢＰを含む。一方、非表示区間ＢＰは省略されてもよい。水平同期信号Ｈｓｙｎｃはデータ駆動部３００でデータ電圧ＶＲＧＢが出力される複数個の水平区間を定義する。
【００５９】
各々の複数個のフレーム区間ＦＲｎ−１、ＦＲｎ、ＦＲｎ＋１の間にゲート信号ＧＳＳ１〜ＧＳＳｎはゲートラインＧＬ１〜ＧＬｎへ順次的に印加される。ゲート信号ＧＳＳ１〜ＧＳＳｎはターンオン期間が互いに異なるパルス信号である。各々のターンオン期間でゲート信号ＧＳＳ１〜ＧＳＳｎは同一のレベルを有する。
【００６０】
ゲート信号ＧＳＳ１〜ＧＳＳｎによってタッチ感知部４００へ印加される出力信号が形成される。以下、ゲートラインＧＬ１〜ＧＬｎ、ゲート信号ＧＳＳ１〜ＧＳＳｎ、タッチセンサ、及び出力信号に対してさらに詳細に検討する。
【００６１】
図７は図１に図示された表示パネルの平面図である。図８Ａ及び図８Ｂは図７のＡＡ領域に対応する平面図である。図７は第１ベース基板（ＳＵＢ１：図４参照）の下面に配置された複数個のタッチセンサＴＳＥ１−１〜ＴＳＥ１−ｋ、ＴＳＥ２−１〜ＴＳＥ２−ｋを平面上に投影した図である。
【００６２】
複数個のタッチセンサＴＳＥ１−１〜ＴＳＥ１−ｋ、ＴＳＥ２−１〜ＴＳＥ２−ｋの各々は第２方向ＤＲ２に延びた形状である。複数個のタッチセンサＴＳＥ１−１〜ＴＳＥ１−ｋ、ＴＳＥ２−１〜ＴＳＥ２−ｋの各々の第１方向ＤＲ１の幅は第２方向ＤＲ２に沿って変化する。
【００６３】
複数個のタッチセンサＴＳＥ１−１〜ＴＳＥ１−ｋ、ＴＳＥ２−１〜ＴＳＥ２−ｋは平面上で表示パネルの一部領域（ＤＡ、以下表示領域）に配置される。表示領域ＤＡは複数個の画素領域（ＰＸＡ１１〜ＰＸＡｎｍ：図１参照）を含む。
【００６４】
表示領域ＤＡに隣接するように非表示領域ＮＤＡが定義される。非表示領域ＮＤＡは遮光層（ＢＭ：図４参照）に重畳する領域である。非表示領域ＮＤＡに接続ラインＲＬ１−１〜ＲＬ１−ｋ、ＲＬ２−１〜ＲＬ２−ｋが配置される。
【００６５】
接続ラインＲＬ１−１〜ＲＬ１−ｋ、ＲＬ２−１〜ＲＬ２−ｋは複数個のタッチセンサＴＳＥ１−１〜ＴＳＥ１−ｋ、ＴＳＥ２−１〜ＴＳＥ２−ｋに各々接続される。接続ラインＲＬ１−１〜ＲＬ１−ｋ、ＲＬ２−１〜ＲＬ２−ｋは複数個のタッチセンサＴＳＥ１−１〜ＴＳＥ１−ｋ、ＴＳＥ２−１〜ＴＳＥ２−ｋから出力された出力信号ＴＳＳ１−１〜ＴＳＳ１−ｋ、ＴＳＳ２−１〜ＴＳＳ２−ｋをタッチ感知部（４００：図１参照）へ提供する。
【００６６】
複数個のタッチセンサは形状が異なる第１タッチセンサＴＳＥ１−１〜ＴＳＥ１−ｋと第２タッチセンサＴＳＥ２−１〜ＴＳＥ２−ｋとを含む。第１タッチセンサＴＳＥ１−１〜ＴＳＥ１−ｋの第１方向ＤＲ１の幅は第２方向ＤＲ２に沿って減少する。第２タッチセンサＴＳＥ２−１〜ＴＳＥ２−ｋの第１方向ＤＲ１の幅は第２方向ＤＲ２に沿って増加する。
【００６７】
図７に示したように、第１タッチセンサＴＳＥ１−１〜ＴＳＥ１−ｋと第２タッチセンサＴＳＥ２−１〜ＴＳＥ２−ｋは交互に配置される。第１タッチセンサＴＳＥ１−１〜ＴＳＥ１−ｋの各々は直角三角形状である。第２タッチセンサＴＳＥ２−１〜ＴＳＥ２−ｋは第１タッチセンサＴＳＥ１−１〜ＴＳＥ１−ｋを１８０°回転させた直角三角形状である。第１タッチセンサＴＳＥ１−１〜ＴＳＥ１−ｋと第２タッチセンサＴＳＥ２−１〜ＴＳＥ２−ｋの中で隣接する第１タッチセンサと第２タッチセンサは斜辺が平行になるように配置される。
【００６８】
図８Ａに示したように、第１タッチセンサＴＳＥ１−１及び第２タッチセンサＴＳＥ２−１は複数個の画素領域（ＰＸＡ１１〜ＰＸＡｎｍ：図１参照）の中で対応する画素領域ＰＸＡに各々重畳する。対応する画素領域ＰＸＡを通じて光が通過するように第１タッチセンサＴＳＥ１−１及び第２タッチセンサＴＳＥ２−１は透明な金属酸化物で構成されることができる。
【００６９】
図８Ｂに示したように、第１タッチセンサＴＳＥ１−１及び第２タッチセンサＴＳＥ２−１は対応する画素領域ＰＸＡに隣接する遮光領域ＬＳＡの一部分に重畳する。第１タッチセンサＴＳＥ１−１及び第２タッチセンサＴＳＥ２−１は第１方向ＤＲ１に延長された複数個の水平部ＴＳＥ−Ｌと第２方向ＤＲ２に延長された複数個の垂直部ＴＳＥ−Ｃを含む。
【００７０】
複数個の水平部ＴＳＥ−Ｌと複数個の垂直部ＴＳＥ−Ｃは互いに接続されて複数個の開口部ＴＳＥ−ＯＰを形成する。言い換えれば、第１タッチセンサＴＳＥ１−１及び第２タッチセンサＴＳＥ２−１の各々は複数個の開口部ＴＳＥ−ＯＰを具備するメッシュ形状を有する。このとき、第１タッチセンサＴＳＥ１−１及び第２タッチセンサＴＳＥ２−１の各々は反射率が低い金属で構成されることができる。
【００７１】
図９は図７に図示された第１タッチセンサＴＳＥ１−２及び第２タッチセンサＴＳＥ２−２とゲートラインを示した平面図である。図１０はゲート信号とタッチセンサから出力される出力信号の関係を示したタイミング図である。図１１Ａ乃至図１１Ｃは座標情報を算出するのに利用されるパルスを示した図面である。
【００７２】
図９は第１タッチセンサ（ＴＳＥ１−１〜ＴＳＥ１−ｋ：図７参照）と第２タッチセンサ（ＴＳＥ２−１〜ＴＳＥ２−ｋ：図７参照）の中で第２番目に配置された第１タッチセンサＴＳＥ１−２と第２タッチセンサＴＳＥ２−２を図示した。また、図９は第２方向ＤＲ２の座標情報が異なる第１乃至第３タッチ地点ＴＰＰ１、ＴＰＰ２、ＴＰＰ３を図示した。
【００７３】
ゲートラインＧＬ１〜ＧＬｎへゲート信号ＧＳＳ１〜ＧＳＳｎが順次的に印加されることによって、ゲートラインＧＬ１〜ＧＬｎと第１タッチセンサＴＳＥ１−２はキャパシタＣＧＴ（ＣＧＴ：図５参照）を形成する。第２タッチセンサＴＳＥ２−２もやはりゲートラインＧＬ１〜ＧＬｎとキャパシタＣＧＴを形成する。
【００７４】
図１０に示したように、第１タッチセンサＴＳＥ１−２及び第２タッチセンサＴＳＥ２−２は第１出力信号ＴＳＳ１−２及び第２出力信号ＴＳＳ２−２を各々出力する。第１出力信号ＴＳＳ１−２及び第２出力信号ＴＳＳ２−２の各々は複数個のパルスを含む。複数個のパルスはゲート信号ＧＳＳ１〜ＧＳＳｎに基づいて生成される。
【００７５】
第１出力信号ＴＳＳ１−２及び第２出力信号ＴＳＳ２−２の各々の複数個のパルスのレベルはゲートラインＧＬ１〜ＧＬｎと第１タッチセンサＴＳＥ１−２又は第２タッチセンサＴＳＥ２−２の重畳面積によって決定される。ゲートラインＧＬ１〜ＧＬｎは後順位に行くほど、第１タッチセンサＴＳＥ１−２に重畳する面積が増加する。例えば、ゲートラインＧＬ１〜ＧＬｎと第１タッチセンサＴＳＥ１−２がなすキャパシタＣＧＴに充電された電荷量は後順位に行くほど、増加され、第１出力信号ＴＳＳ１−２の複数個のパルスのレベルは後順位になるほど、大きくなる。
【００７６】
それに反してゲートラインＧＬ１〜ＧＬｎは後順位に行くほど、第２タッチセンサＴＳＥ２−２に重畳する面積が減少する。したがって、第２出力信号ＴＳＳ２−２の複数個のパルスのレベルは後順位になるほど、小さくなる。
【００７７】
タッチ感知部（４００：図１参照）は表示区間ＤＳＰの間にタッチイベントが発生したか否かを複数測定することができる。タッチ感知部４００は第１出力信号ＴＳＳ１−２の複数個のパルスの中で一部のパルス又は第２出力信号ＴＳＳ２−２の複数個のパルスの中で一部のパルスのみにタッチイベントが発生したか否かを測定することができる。
【００７８】
図１１Ａは第１番目ゲートライン乃至第３番目ゲートライン（ＧＬ１〜ＧＬ３：図９参照）へ印加されたゲート信号（ＧＳＳ１〜ＧＳＳ３、以下第１乃至第３ゲート信号）によって生成された第１出力信号ＴＳＳ１−２及び第２出力信号ＴＳＳ２−２を図示した。
【００７９】
タッチイベントが発生すれば、第１乃至第３ゲート信号ＧＳＳ１〜ＧＳＳ３によって生成されたパルスＰＳ１〜ＰＳ３のレベルは、第１タッチセンサＴＳＥ１−２及び／又は第２タッチセンサＴＳＥ２−２と入力手段との間で生成された可変キャパシタ（ＣＴＩ：図５参照）によって変化する。タッチ感知部４００はパルスＰＳ１〜ＰＳ３のレベル変化を測定して第１乃至第３ゲート信号ＧＳＳ１〜ＧＳＳ３にターンオン信号が供給される点で発生したタッチイベントを検出する。
【００８０】
一方、パルスＰＳ１〜ＰＳ３のレベル変化量は第１乃至第３タッチ地点ＴＰＰ１、ＴＰＰ２、ＴＰＰ３にしたがって異なる。これに対する詳細な説明は図１２Ａ乃至図１２Ｂを参照して後述する。
【００８１】
図１１Ｂはｉ−１番目乃至ｉ＋１番目ゲートライン（ＧＬｉ−１〜ＧＬｉ＋１：図９参照）へ印加されたゲート信号（ＧＳＳｉ−１〜ＧＳＳｉ＋１、以下ｉ−１番目乃至ｉ＋１番目ゲート信号）によって生成された第１出力信号ＴＳＳ１−２及び第２出力信号ＴＳＳ２−２を図示した。図１１Ｃはｎ−２番目乃至ｎ番目ゲートライン（ＧＬｎ−２〜ＧＬｎ：図９参照）へ印加されたゲート信号（ＧＳＳｎ−２〜ＧＳＳｎ、以下ｎ−２番目乃至ｎ番目ゲート信号）によって生成された第１出力信号ＴＳＳ１−２及び第２出力信号ＴＳＳ２−２を図示した。
【００８２】
タッチ感知部４００はｉ−１番目乃至ｉ＋１番目ゲート信号ＧＳＳｉ−１〜ＧＳＳｉ＋１から生成されたパルス又はｎ−２番目乃至ｎ番目ゲート信号ＧＳＳｎ−２〜ＧＳＳｎから生成されたパルスを利用して各々のターンオン信号が供給される点で発生したタッチイベントを検出することができる。結果的に、タッチ感知部４００は表示区間ＤＳＰに生成された第１出力信号ＴＳＳ１−２及び／又は第２出力信号ＴＳＳ２−２の複数個のパルスの中で３つのパルス単位にタッチイベント発生の可否を測定することができる。したがって、表示区間ＤＳＰの間に複数回のタッチイベントが発生しても、複数回のタッチイベントを全て検出することができる。
【００８３】
一方、タッチイベントを測定する周期は変更することができる。例えば、タッチイベントは５つのパルス単位に測定されてもよく、或いは表示区間ＤＳＰ毎に１回ずつ測定されてもよい。
【００８４】
以下、図１２Ａ乃至図１２Ｃを参照してタッチ地点の座標算出方法に対してさらに詳細に検討する。図１２Ａ乃至図１２Ｃはタッチ地点の位置にしたがって現れるパルスのレベル変化を、図１１Ａに図示されたパルスを図示した。図１２Ａ乃至図１２Ｃに図示された第１乃至第３パルスＰＳ１〜ＰＳ３の点線はタッチイベントが発生した時のレベルを示す。
【００８５】
第１タッチセンサ（ＴＳＥ１−１〜ＴＳＥ１−ｋ：図７参照）と第２タッチセンサ（ＴＳＥ２−１〜ＴＳＥ２−ｋ：図７参照）に対する、パルスのレベル変化を伴う出力信号を出力したタッチセンサの相対的位置に基づいてタッチ地点の第１方向ＤＲ１の座標を算出する。例えば、第２番目配置された第１タッチセンサＴＳＥ１−２と第２タッチセンサＴＳＥ２−２から出力された出力信号のレベルが変化すれば、第１タッチセンサ（ＴＳＥ１−１〜ＴＳＥ１−ｋ：図７参照）と第２タッチセンサ（ＴＳＥ２−１〜ＴＳＥ２−ｋ：図７参照）の中の第２番目配置された第１タッチセンサＴＳＥ１−２と第２タッチセンサＴＳＥ２−２の相対的位置がタッチ地点の第１方向ＤＲ１の座標情報となる。一方、タッチ地点の第１方向ＤＲ１の座標情報は第１出力信号ＴＳＳ１−２及び第２出力信号ＴＳＳ２−２の中でいずれか１つの信号のみに基づいて算出されてもよい。
【００８６】
タッチ地点の第２方向ＤＲ２の座標情報は、第１出力信号ＴＳＳ１−２及び／又は第２出力信号ＴＳＳ２−２のパルスのレベル変化量に基づいて算出される。図１２Ａ乃至図１２Ｃを参照すれば、基本的には第１出力信号ＴＳＳ１−２及び第２出力信号ＴＳＳ２−２の各々のパルスのレベル変化量が異なる。
【００８７】
図１２Ａは第１タッチ地点（ＴＰＰ１：図９参照）でタッチイベントが発生した場合の例を示す。入力手段と第１タッチセンサＴＳＥ１−２の重畳面積は入力手段と第２タッチセンサＴＳＥ２−２の重畳面積より狭い。したがって、第１出力信号ＴＳＳ１−２の第１乃至第３パルスＰＳ１〜ＰＳ３の減少率は第２出力信号ＴＳＳ２−２の第１乃至第３パルスＰＳ１〜ＰＳ３の減少率より少ない。
【００８８】
図１２Ｂは第２タッチ地点（ＴＰＰ２：図９参照）でタッチイベントが発生した場合の例を示し、図１２Ｃは第３タッチ地点（ＴＰＰ３：図９参照）でタッチイベントが発生した場合の例を示す。入力手段と第１タッチセンサＴＳＥ１−２の重畳面積が増加するほど、第１出力信号ＴＳＳ１−２の第１乃至第３パルスＰＳ１〜ＰＳ３の減少率は増加する。
【００８９】
第１出力信号ＴＳＳ１−２及び第２出力信号ＴＳＳ２−２の中でいずれか１つの第１乃至第３パルスＰＳ１〜ＰＳ３の減少率に基づいてタッチ地点の第２方向ＤＲ２の座標情報を獲得することができる。このような算出方法は図１１Ｂ及び図１１Ｃに図示されたパルスにも同様に適用される。また、互いに反比例する第１出力信号ＴＳＳ１−２のパルスの減少率と第２出力信号ＴＳＳ２−２のパルスの減少率に基づいて、言い換えれば、第１出力信号ＴＳＳ１−２及び第２出力信号ＴＳＳ２−２を相互補完して、さらに正確なタッチ地点の第２方向ＤＲ２の座標情報を獲得することができる。
【００９０】
図１３は本発明の一実施形態による表示パネルの断面図である。以下、図１３を参照して本実施形態による表示装置を説明する。但し、図１乃至図１２Ｃを参照して説明した構成と同一である構成に対する詳細な説明は省略する。
【００９１】
図１３に図示された表示装置は図４に図示された表示装置と層構造の一部が異なる。ゲートライン（図示せず）は第１ベース基板ＳＵＢ１の下側に配置され、タッチセンサＴＳＥは第１ベース基板ＳＵＢ１の上側に配置される。
【００９２】
図１３に示したように、第１ベース基板ＳＵＢ１の下面に共通ラインＣＬｉとゲートラインから分岐されたゲート電極ＧＥが配置される。第１ベース基板ＳＵＢ１の下面上に共通ラインＣＬｉとゲートラインをカバーする第１絶縁層１０−１が配置される。第１絶縁層１０−１は図４の第２絶縁層２０に対応する。
【００９３】
タッチセンサＴＳＥは第１ベース基板ＳＵＢ１の上面に配置される。第１ベース基板ＳＵＢ１の上面にはタッチセンサＴＳＥを保護する保護板ＳＳが配置される。また、タッチセンサＴＳＥと第１ベース基板ＳＵＢ１の上面間に絶縁層（図示せず）がさらに配置されてもよい。
【００９４】
図１４は本発明の一実施形態による表示パネルの平面図である。以下、図１４を参照して本実施形態による表示装置を説明する。但し、図１乃至図１３を参照して説明した構成と同一である構成に対する詳細な説明は省略する。
【００９５】
図１４に示したように、表示装置ＤＰ−１に具備された複数個のタッチセンサＴＳＥは複数個のグループに区分される。複数個のグループは第２方向ＤＲ２に配列される。図１４には２つのグループＴＳＥ−Ｇ１、ＴＳＥ−Ｇ２を図示した。図１４では図示しないが、２つのグループＴＳＥ−Ｇ１、ＴＳＥ−Ｇ２各々のタッチセンサに接続された接続ライン（図７参照）が配置されてもよい。
【００９６】
２つのグループＴＳＥ−Ｇ１、ＴＳＥ−Ｇ２の各々は第２方向ＤＲ２に延び、第１方向ＤＲ１に配列されたタッチセンサＴＳＥ１、ＴＳＥ２を含む。２つのグループＴＳＥ−Ｇ１、ＴＳＥ−Ｇ２の各々のタッチセンサＴＳＥ１、ＴＳＥ２は図７に図示されたタッチセンサＴＳＥ１−１〜ＴＳＥ１−ｋ、ＴＳＥ２−１〜ＴＳＥ２−ｋと機能的に同一である。
【００９７】
２つのグループＴＳＥ−Ｇ１、ＴＳＥ−Ｇ２の各々のタッチ地点座標情報算出方法は図９乃至図１２Ｃを参照して説明した方法と同一である。但し、２つのグループＴＳＥ−Ｇ１、ＴＳＥ−Ｇ２は互いに異なる第２方向ＤＲ２の座標情報を有する。
【００９８】
タッチ地点の第２方向ＤＲ２の座標情報は、レベル変化を伴う出力信号を出力したタッチセンサが第１グループＴＳＥ−Ｇ１と第２グループＴＳＥ−Ｇ２の中でいずれかグループに属するかによって、１次的に算出された後、図９乃至図１２Ｃを参照して説明した方法と同様に２次的に算出される。
【００９９】
図１５Ａ乃至図１５Ｃは本発明の一実施形態による表示パネルの平面図である。以下、図１５Ａ乃至図１５Ｃを参照して本実施形態による表示装置を説明する。但し、図１乃至図１３を参照して説明した構成と同一である構成に対する詳細な説明は省略する。図１５Ａ乃至図１５Ｃでタッチセンサに接続された接続ラインは図示しない。
【０１００】
図１５Ａに示したように、表示装置ＤＰ−２は形状が異なる第１タッチセンサＴＳＥ１０−１〜ＴＳＥ１０−ｋと第２タッチセンサＴＳＥ２０−１〜ＴＳＥ２０−ｋを含む。第１タッチセンサＴＳＥ１０−１〜ＴＳＥ１０−ｋの各々は二等辺三角形状である。第２タッチセンサＴＳＥ２０−１〜ＴＳＥ２０−ｋは第１タッチセンサＴＳＥ１０−１〜ＴＳＥ１０−ｋが１８０°回転された形状である。第１タッチセンサＴＳＥ１０−１〜ＴＳＥ１０−ｋと第２タッチセンサＴＳＥ２０−１〜ＴＳＥ２０−ｋは同一の面積を有する。
【０１０１】
第１タッチセンサＴＳＥ１０−１〜ＴＳＥ１０−ｋと第２タッチセンサＴＳＥ２０−１〜ＴＳＥ２０−ｋは交互に配置される。第１タッチセンサＴＳＥ１０−１〜ＴＳＥ１０−ｋの頂点は第２タッチセンサＴＳＥ２０−１〜ＴＳＥ２０−ｋの底辺に隣接し、第２タッチセンサＴＳＥ２０−１〜ＴＳＥ２０−ｋの頂点は第１タッチセンサＴＳＥ１０−１〜ＴＳＥ１０−ｋの底辺に隣接する。
【０１０２】
表示装置ＤＰ−２は第３タッチセンサＴＳＥ３０と第４タッチセンサＴＳＥ４０をさらに包含してもよい。第３タッチセンサＴＳＥ３０と第４タッチセンサＴＳＥ４０は表示領域ＤＡの中で第１タッチセンサＴＳＥ１０−１〜ＴＳＥ１０−ｋと第２タッチセンサＴＳＥ２０−１〜ＴＳＥ２０−ｋが配置されない領域に配置される。第３タッチセンサＴＳＥ３０と第４タッチセンサＴＳＥ４０の第１方向ＤＲ１の幅は第２方向ＤＲ２に沿って変化する。
【０１０３】
図１５Ｂに示したように、表示装置ＤＰ−３は形状が異なる第１タッチセンサＴＳＥ１００−１〜ＴＳＥ１００−ｋと第２タッチセンサＴＳＥ２００−１〜ＴＳＥ２００−ｋとを含む。第１タッチセンサＴＳＥ１００−１〜ＴＳＥ１００−ｋと第２タッチセンサＴＳＥ２００−１〜ＴＳＥ２００−ｋは交互に配置される。
【０１０４】
第１タッチセンサＴＳＥ１００−１〜ＴＳＥ１００−ｋの各々は等辺台形形状である。第２タッチセンサＴＳＥ２００−１〜ＴＳＥ２００−ｋは第１タッチセンサＴＳＥ１００−１〜ＴＳＥ１００−６が１８０°回転された形状である。
【０１０５】
図１５Ｃに示したように、表示装置ＤＰ−４は形状及び面積が異なる第１タッチセンサＴＳＥ１０００−１〜ＴＳＥ１０００−ｋと第２タッチセンサＴＳＥ２０００−１〜ＴＳＥ２０００−ｋを含む。
【０１０６】
第１タッチセンサＴＳＥ１０００−１〜ＴＳＥ１０００−ｋ及び第２タッチセンサＴＳＥ２０００−１〜ＴＳＥ２０００−ｋは二等辺三角形状の２つの等辺が変形された形状である。第１タッチセンサＴＳＥ１０００−１〜ＴＳＥ１０００−ｋは１つの底辺と膨らんでいる２つの等辺及び３つの頂点を有する。第２タッチセンサＴＳＥ２０００−１〜ＴＳＥ２０００−ｋは１つの底辺と凹んだ２つの等辺及び３つの頂点を有する。第１タッチセンサＴＳＥ１０００−１〜ＴＳＥ１０００−ｋと第２タッチセンサＴＳＥ２０００−１〜ＴＳＥ２０００−ｋは交互に配置される。
【０１０７】
表示装置ＤＰ−４は表示領域ＤＡの中で第１タッチセンサＴＳＥ１０００−１〜ＴＳＥ１０００−ｋと第２タッチセンサＴＳＥ２０００−１〜ＴＳＥ２０００−ｋが配置されない領域に配置された第３タッチセンサＴＳＥ３０００と第４タッチセンサＴＳＥ４０００をさらに包含してもよい。第３タッチセンサＴＳＥ３０００及び第４タッチセンサＴＳＥ４０００は変形された直角三角形状である。第３タッチセンサＴＳＥ３０００は凹んだ斜辺を有し、第４タッチセンサＴＳＥ４０００は膨らんでいる斜辺を有する。
【０１０８】
図１６は本発明の一実施形態による表示パネルの平面図である。以下、図１６を参照して本実施形態による表示装置を説明する。但し、図１乃至図１３を参照して説明した構成と同一である構成に対する詳細な説明は省略する。
【０１０９】
図１６に示したように、表示装置ＤＰ−５はマトリックス形態に配列された複数個のタッチセンサＴＳＥ１１〜ＴＳＥｐｑを含む。複数個のタッチセンサＴＳＥ１１〜ＴＳＥｐｑは第１ベース基板ＳＵＢ１の上側又は下側に配置される。
【０１１０】
複数個のタッチセンサＴＳＥ１１〜ＴＳＥｐｑは実質的に同一の形状及び実質的に同一の面積を有する。複数個のタッチセンサＴＳＥ１１〜ＴＳＥｐｑは正方形のみでなく、円形、多角形等に変形されてもよい。
【０１１１】
図示しないが、複数個のタッチセンサＴＳＥ１１〜ＴＳＥｐｑの出力信号をタッチ感知部４００へ提供する接続ラインが配置されてもよい。接続ラインは遮光領域（ＬＳＡ：図２参照）に重畳するように配置される。
【０１１２】
複数個のタッチセンサＴＳＥ１１〜ＴＳＥｐｑはゲート電圧が印加されたゲートラインＧＬ１〜ＧＬｎと容量結合される。複数個のタッチセンサＴＳＥ１１〜ＴＳＥｐｑは固有の座標情報を有する。したがって、レベルが変化した出力信号を検出することのみでタッチ地点の座標情報を算出することができる。
【０１１３】
以上、本発明の望ましい実施形態を参照して説明したが、該当技術分野の熟練された当業者又は該当技術分野に通常の知識を有する者であれば、後述される特許請求の範囲に記載された本発明のマッピング及び技術領域から逸脱しない範囲内で本発明を多様に修正及び変形できることは理解できる。
【０１１４】
したがって、本発明の技術的範囲は明細書の詳細な説明に記載された内容に限定されることではなく、特許請求の範囲によって定まれなければならない。
【符号の説明】
【０１１５】
１００・・・信号制御部
２００・・・ゲート駆動部
３００・・・データ駆動部
４００・・・タッチ感知部
ＤＰ・・・表示パネル
ＰＸＡ・・・画素領域
ＬＳＡ・・・遮光領域
ＴＳＥ・・・タッチセンサ
【図１】
2014142908.tif 000003
【図２】
2014142908.tif 000004
【図３】
2014142908.tif 000005
【図４】
2014142908.tif 000006
【図５】
2014142908.tif 000007
【図６】
2014142908.tif 000008
【図７】
2014142908.tif 000009
【図９】
2014142908.tif 000010
【図１０】
2014142908.tif 000011
【図１１Ａ】
2014142908.tif 000012
【図１１Ｂ】
2014142908.tif 000013
【図１１Ｃ】
2014142908.tif 000014
【図１２Ａ】
2014142908.tif 000015
【図１２Ｂ】
2014142908.tif 000016
【図１２Ｃ】
2014142908.tif 000017
【図１３】
2014142908.tif 000018
【図１４】
2014142908.tif 000019
【図１５Ａ】
2014142908.tif 000020
【図１５Ｂ】
2014142908.tif 000021
【図１５Ｃ】
2014142908.tif 000022
【図１６】
2014142908.tif 000023
【図８Ａ】
2014142908.tif 000024
【図８Ｂ】
2014142908.tif 000025